(57)【要約】【課題】施錠状態のロック忘れを防ぐことができ、不法侵入を未然に防止する効果を向上させた防犯システムを提供することにある。【解決手段】窓体２には他の窓体２’に設けられた受け具４に係脱自在に係止して窓体２を閉じた状態で施錠するクレセント３と、クレセント３の回転操作するためのハンドル５等からなるクレセント錠１を用いた窓施錠装置１００が取り付けられている。窓施錠装置１００はクレセント錠１の施錠状態がロックされている状態を検知する検知部と、マグネット１１の磁気により窓の開閉状態を検知する検知部とを内蔵し、窓が閉まっている状態でクレセント錠１の施錠状態のロックが解除されるか、又はクレセント錠１が施錠状態で窓が開けられると、音出し孔８から警報音を報知させる。【選択図】    図１
2004232293.tif 000002
【特許請求の範囲】
【請求項１】
窓を開閉する窓体若しくは造営物側に設けられ、他の窓体若しくは造営物側に設けられた受け具に係脱自在に係止して当該窓体を閉じた状態で施錠する掛け具と、該掛け具を前記受け具に対して係脱自在に動かす施錠／解錠操作手段と、前記受け具に前記掛け具が係止した状態をロックするロック手段と、該ロック手段を前記ロックする位置とロック解除位置とに動かすロック操作手段とを備えるとともに前記ロック手段のロック位置／ロック解除位置を検知する第１の検知部を備えた窓施錠装置と、
前記第１の検知部からの検知信号に基づいて前記ロック手段のロック解除を報知する報知手段とを具備していることを特徴とする防犯システム。
【請求項２】
窓の開閉状態を検知する第２の検知部を前記窓施錠装置に設け、前記報知手段で、第２の検知部の検知信号に基づいて窓の開閉状態を報知することを特徴とする請求項１記載の防犯システム。
【請求項３】
前記報知手段が前記窓施錠装置とは別体で、前記窓施錠装置には前記検知信号を前記報知手段へワイヤレス信号で送信する送信手段を備えていることを特徴とする請求項１又は２記載の防犯システム。
【請求項４】
前記送信手段は、前記第１、第２の検知部の検知信号の何れかが変化すると、両検知部の検知信号をワイヤレス信号で送信することを特徴とする請求項３記載の防犯システム。
【請求項５】
前記報知手段は、ワイヤレス信号を受信する受信手段と、該受信手段で受信したワイヤレス信号に含まれる前記第１、第２の検知部の検知信号から窓の開閉状態と前記ロック手段の状態を判別する信号処理手段と、該信号処理手段の判別結果により前記窓の開閉状態と前記ロック手段の状態を表示する表示手段を設けている表示装置により構成されていることを特徴とする請求項３又は４記載の防犯システム。
【請求項６】
前記第１の検知部の検知信号に基づいて前記ロック手段のロック解除状態を報知する前記報知手段を前記窓施錠装置に設けていることを特徴とする請求項１乃至５の何れか記載の防犯システム。
【請求項７】
前記報知手段の報知動作のオン／オフ操作用で、ロック操作手段のロック位置への操作に連動してオンするスイッチを前記窓施錠装置に設けていることを特徴とする請求項６記載の防犯システム。
【請求項８】
前記第２の検知部の検知信号として窓が閉じられていることを示す検知信号が、前記第２の検知部の検知信号として前記ロック手段のロック位置を示す検知信号が夫々出力していた状態から、第２の検知部からの検知信号が、窓が開いていることを示す信号に変化したときに前記報知手段にて報知させることを特徴とする請求項２乃至７の何れか記載の防犯システム。
【請求項９】
前記報知手段から状態報知として警報音を出力させることを特徴とする請求項１乃至８の何れか記載の防犯システム。
【請求項１０】
前記第２の検知部の検知信号として窓が開いていることを示す検知信号が、前記第２の検知部の検知信号として前記ロック手段のロック解除位置を示す検知信号が夫々出力していた状態から、前記第１の検知部からの検知信号が、前記ロック手段がロック位置であることを示す信号に変化したときに前記報知手段にて警告音を報知させることを特徴とする請求項２乃至９の何れか記載の防犯システム。
【発明の詳細な説明】
【０００１】
【発明の属する技術分野】
本発明は、窓を開閉する窓体を施錠するクレセント錠やカムラッチ錠のような窓施錠装置の状態に連動する防犯システムに関するものである。
【０００２】
【従来の技術】
従来、窓における戸締まりに関する情報をワイヤレス信号で送信する送信部を一体に設けた窓施錠装置が提供されている（特許文献１）。
【０００３】
【特許文献１】
特開平７−２３３６６７号公報（段落番号（００１７））
【０００４】
【発明が解決しようとする課題】
上記の従来例では、クレセント錠の施錠／解錠の情報を戸締まり情報に用いるものであるが、窓からの不法侵入検知に用いると、侵入検知があったときにはクレセントが既に解除されて窓を開けることが可能となるため不法侵入を未然に防止するという観点では十分か効果が得られないという課題があった。
【０００５】
本発明は、上述の点に鑑みて為されたもので、請求項１の発明の目的とするところは、不法侵入を未然に防止する効果を向上させた防犯システムを提供することにある。
【０００６】
また請求項２の発明の目的は、前記請求項１の発明の目的に加えて、窓の開閉状態をも検知して更に防犯効果を高めた防犯システムを提供することにある。
【０００７】
更に請求項３の発明の目的は、請求項１又は２の発明の目的に加えて、窓施錠装置から離れた場所に設置される報知手段で報知することができる防犯システムを提供することにある。
【０００８】
更にまた請求項４の発明の目的は、請求項３の発明の目的に加えて、窓の開閉状態と、窓施錠装置の施錠に対するロック状態とを示す検知データを何れかの状態変化毎に送り出すことで、検知信号を利用する際に確実な状態把握が可能な防犯システムを提供することにある。
【０００９】
また更に請求項５の発明の目的は、請求項３又は４の発明のにおいて、窓側から離れた室内で窓の開閉状態と、窓施錠装置の施錠に対するロック／解除状態を表示して、防犯管理を確実にすることができる防犯システムを提供することにある。
【００１０】
更にまた請求項６の発明の目的は、請求項１乃至５の何れかの発明の目的に加えて、窓施錠装置側で前記ロック手段のロック解除状態を知ることができ、ロック忘れを確実に防ぎ、防犯効果を更に向上させることができる防犯システムを提供することにある。
【００１１】
更にまた請求項７の発明の目的は、請求項６の発明の目的に加えて、家人がロック手段のロックを解除したときに窓施錠装置側で報知されてても窓施錠装置側で報知を停止させることができる防犯システムを提供することにある。
【００１２】
請求項８の発明の目的とするところは、請求項２乃至７の何れかの発明の目的に加えて、窓破壊などによる窓開け行為があるような異常時にこれを報知することができる防犯システムを提供することにある。
【００１３】
請求項９の発明の目的とするところは、請求項１乃至８の何れかの発明の目的に加えて、報知を警報音で行うことで、状態報知が確実に行え、且つ不法侵入に対する威嚇となる防犯システムを提供することにある。
【００１４】
請求項１０の発明の目的は、請求項２乃至９の何れかの発明の目的に加えて、空錠状態を窓施錠装置側で警告して空錠を防ぐことができる防犯システムを提供することにある。
【００１５】
【課題を解決するための手段】
上述の目的を達成するために、請求項１の発明では、窓を開閉する窓体若しくは造営物側に設けられ、他の窓体若しくは造営物側に設けられた受け具に係脱自在に係止して当該窓体を閉じた状態で施錠する掛け具と、該掛け具を前記受け具に対して係脱自在に動かす施錠／解錠操作手段と、前記受け具に前記掛け具が係止した状態をロックするロック手段と、該ロック手段を前記ロックする位置とロック解除位置とに動かすロック操作手段とを備えるとともに前記ロック手段のロック位置／ロック解除位置を検知する第１の検知部を備えた窓施錠装置と、
前記第１の検知部からの検知信号に基づいて前記ロック手段のロック解除を報知する報知手段とを具備していることを特徴とする。
【００１６】
請求項２の発明では、請求項１の発明において、窓の開閉状態を検知する第２の検知部を前記窓施錠装置に設け、前記報知手段で、第２の検知部の検知信号に基づいて窓の開閉状態を報知することを特徴とする。
【００１７】
請求項３の発明では、請求項１又は２の発明において、前記報知手段が前記窓施錠装置とは別体で、前記窓施錠装置には前記検知信号を前記報知手段へワイヤレス信号で送信する送信手段を備えていることを特徴とする。
【００１８】
請求項４の発明では、請求項３の発明において、前記送信手段が、前記第１、第２の検知部の検知信号の何れかが変化すると、両検知部の検知信号をワイヤレス信号で送信することを特徴とする。
【００１９】
請求項５の発明では、請求項３又は４の発明のおいて、前記報知手段が、ワイヤレス信号を受信する受信手段と、該受信手段で受信したワイヤレス信号に含まれる前記第１、第２の検知部の検知信号から窓の開閉状態と前記ロック手段の状態を判別する信号処理手段と、該信号処理手段の判別結果により前記窓の開閉状態と前記ロック手段の状態を表示する表示手段を設けている表示装置により構成されていることを特徴とする。
【００２０】
請求項６の発明では、請求項１乃至５の何れかの発明において、前記第１の検知部の検知信号に基づいて前記ロック手段のロック解除状態を報知する前記報知手段を前記窓施錠装置に設けていることを特徴とする。
【００２１】
請求項７の発明では、前記請求項６の発明において、前記報知手段の報知動作のオン／オフ操作用で、ロック操作手段のロック位置への操作に連動してオンするスイッチを前記窓施錠装置に設けていることを特徴とする。
【００２２】
請求項８の発明では、請求項２乃至７の何れかの発明において、前記第２の検知部の検知信号として窓が閉じられていることを示す検知信号が、前記第２の検知部の検知信号として前記ロック手段のロック位置を示す検知信号が夫々出力していた状態から、第２の検知部からの検知信号が、窓が開いていることを示す信号に変化したときに前記報知手段にて報知させることを特徴とする。
【００２３】
請求項９の発明では、請求項１乃至８の何れかの発明において、前記報知手段から状態報知として警報音を出力させることを特徴とする。
【００２４】
請求項１０の発明では、請求項２乃至９の何れかの発明において、前記第２の検知部の検知信号として窓が開いていることを示す検知信号が、前記第２の検知部の検知信号として前記ロック手段のロック解除位置を示す検知信号が夫々出力していた状態から、前記第１の検知部からの検知信号が、前記ロック手段がロック位置であることを示す信号に変化したときに前記報知手段にて警告音を報知させることを特徴とする。
【００２５】
【発明の実施の形態】
以下本発明を一実施形態により説明する。
【００２６】
図１は本実施形態に用いるクレセント錠１を備えた窓施錠装置１００と表示装置３０とからなるシステム例図を示している。窓施錠装置１００は窓体２の縦桟２ａの側面取り付けた状態を示しており、この装置本体１００ａの側面にはクレセント錠１の掛け具であるクレセント３とこのクレセント３を他方の窓体２’側に設けた受け具４に対して係脱自在に回転させる施錠／解除の操作手段であるハンドル５が回動自在に取り付けている。また装置本体１００ａの室内側に面した前面には、クレセント錠１のクレセント３を受け具４に係止されている状態から離脱方向に移動させる操作ができないようにハンドル５をロックするロック手段のスライドレバー６が上下移動時に配設されている。
【００２７】
更に前記ハンドル５の上方の装置本体１００ａの側面には装置本体１００ａ内のブザーからなる報知部７（図２参照）の音出し孔８が開口し、またスライドレバー６の上方の装置本体１００ａの前面には報知部７からの報知をオン／オフするためのスイッチＳＷの操作釦９が露出されている。
【００２８】
一方窓体２と共に引き違い形の窓を構成する前記窓体２’側のガラス１０の側端部位には板状のマグネット１１が取着され、窓が閉じられる位置に窓体２と窓体２’が移動しているときにマグネット１１の磁気で装置本体１００ａ内のリードスイッチからなる第１の検知部１２（図２参照）を駆動するようになっている。つまり第１の検知部１２が窓の開閉状態を検知するようになっている。
【００２９】
次にクレセント錠１の機構を図３（ａ）〜（ｃ）により簡単に説明する。図３（ａ）はクレセント３が施錠状態で且つロック手段によって施錠状態がロックされている状態を示しており、この状態ではハンドル５の回転軸１３に上述のクレセント３と共に同軸に固定されている回転板１４のカム部１４ａが、下移動（図では左方向に移動）しているスライドレバー６に連結されスライドレバー６と共にロック手段を構成しているロック片１５の角部に当たり図において左方向への回転が規制（ロック）されるようになっている。そして図において図３（ｂ）に示すようにスライドレバー６を右方向に移動させるとロック片１５の角部が回転板１４のカム部１４ａより離れてハンドル５のロック状態が解除される。そしてこの解除状態で回転板１３を図３（ａ）から同図（ｂ）の位置へ左方向に回転させるようにハンドル５を操作すると、クレセント３が回転して受け具４から離脱し、クレセント錠１が解錠状態となるのである。図３（ｃ）は図３（ａ）で示す状態での窓施錠装置１００の側面断面図である。
【００３０】
ここで、図３（ａ）（ｂ）において前記ロック片１５の上部右端には右方向にスイッチ駆動片１６を一体延設してこのスイッチ駆動片１６の先端を装置本体１００ａ内に設けたリミットスイッチからなる第２の検知部１７の駆動釦１７ａに対向させており、図３（ａ）のロック状態にスライドレバー６を動かしている状態では、スイッチ駆動片１６の先端は第２の検知部１７の駆動釦１７ａから離れ、図３（ｂ）のロック解除位置にスライドレバー６を動かしている状態ではスイッチ駆動片１６の先端が第２の検知部１７の駆動釦１７ａを押し駆動するようになっている。つまり第２の検知部１７のスイッチ出力がクレセント錠１の施錠状態をロックするロック手段がロック位置にあるのか、ロック解除位置にあるのかを示す検知信号となる。
【００３１】
尚スライドレバー６の操作時に、ロック位置と、ロック解除位置とが分かるようにロック片１５の上面に半球状の突起１５ａをスライドレバー６との連結部位の左右両側に夫々設け、一方装置本体１００ａの天井面に各突起１５ａが嵌り込む凹部１８を前記ロック位置とロック解除位置とに対応して設けてあり、この凹部１８への突起１５ａの出入するときの衝撃を指先に伝えるようになっている。
【００３２】
またスプリング１９は、クレセント３の回転時にハンドル５が水平の状態から施錠位置及び解錠位置（夫々の位置でのハンドル５の方向は鉛直方向）に回転する際に付勢するためのものである。
【００３３】
そして装置本体１００ａに収納されているプリント基板Ｐには上記検知信号を処理する回路部が収納されている。
【００３４】
図２は上記回路部の回路構成を示しており、次にこの回路部について説明する。
【００３５】
窓施錠装置１００側に設けられる回路は、第１、第２の検知部１２，１７と、前記ブザーからなる報知部７と、窓施錠装置１００側での検知部１２，１７の検知信号の信号処理とブザーからなる報知部７の駆動制御を含めた制御処理を担うマイクロコンピュータから構成された信号処理部２０と、前記第１の検知部１２の検知信号、第２の検知部１７の検知信号に対応して信号処理部２０から出力される検知データを変調し、電波を媒体とする所定形式のワイヤレス信号によりアンテナ２５を介して送信する無線送信部２１と、信号処理部２０により基準周波数等が制御され、無線送信部２１の送信周波数を制御するＰＬＬ制御部２２と、信号処理部２０の動作プログラムや必要なデータを格納した記憶部２３と、前記スイッチＳＷを含む操作部２４とで構成される。
【００３６】
信号処理部２０は、第１の検知部１２の検知信号から、窓体２，２’により窓が閉じられた状態にあるのか、開いた状態にあるかを判定し、且つ第２の検知部１７の検知信号からクレセント錠１の施錠をロックするロック手段がロック位置にあるのかロック解除位置にあるのかを判定する機能と、この判定結果に基づいて報知部７の駆動を制御する機能と、前記各検知部１２，１７から入力した検知信号を所定形式の検知データとして無線送信部２１へ出力する処理と、ＰＬＬ制御部２２の制御を行う機能などを備えている。
【００３７】
尚スイッチＳＷは後述する警報音を報知部７から報知させるか、報知させないかを設定するスイッチであって、上述のスライドレバー６がロック位置側に移動させるとメカニカルに連動してオンするようになっているが、オン状態においてスライドレバー６がロック解除位置側に移動したときには連動しない。また逆にスイッチＳＷの操作釦９をオン状態からオフ操作すると、オフ操作に連動してメカニカル的にロック手段のスライドレバー６がロック解除位置へ移動させるようになっている。尚この構成は特に図示しないが、適宜な構成を用いれば良い。またスライドレバー６がロック位置側にあるとき操作釦９をオフ側としても勿論良い。
【００３８】
ところで本実施形態の防犯システムは、前記窓施錠装置１００側から送信されるワイヤレス信号を受信し、ワイヤレス信号に含まれる第１、第２の検知部１２，１７の検知信号に対応する検知データにより窓の開閉状態や、クレセント錠１施錠状態をロックするロック手段の状態を表示する表示装置３０とで構成されており、図４はこの表示装置３０の回路部の構成を示す。
【００３９】
表示装置３０の回路部は、全体の信号処理と制御処理を行うマイクロコンピュータからなる信号処理部３１と、窓施錠装置１００側から送信されてくるワイヤレス信号をアンテナ３２を介して受信する無線受信部３３と、この無線受信部３３の受信信号から検知データを復調する復調部３４と、復調された検知データを波形整形して信号処理部３１へ渡す波形整形部３５と、検知データに基づいて信号処理部３１により制御される表示部３６と、信号処理部３１により駆動制御されるブザーからなる報知部３７と、信号処理部３１により基準周波数等が制御され、無線受信部３３の受信周波数を制御するＰＬＬ制御部３８と、信号処理部３１の動作プログラムや必要なデータを格納した記憶部３９と、後述する警戒モードに入り切りを行うスイッチ（図示せず）等を含む操作部４０とで構成される。
【００４０】
ここでクレセント錠１からなる窓施錠装置１００は１軒の家で複数取り付けられるため、夫々の無線送信部２１のＩＤ（識別コード）が予め各別に設定して使用される。
【００４１】
一方表示装置３０の無線受信部３３は１台で各ＩＤのワイヤレス信号を受信することができるように受信チャンネルが設定でき、また表示部３６には各チャンネルのクレセント錠１を識別できるように夫々のＩＤに対応させる表示窓を備え、各表示窓には発光素子Ｌの光が視認可能に設けられている。この場合窓施錠装置１００の無線送信部２１のＩＤをどの表示窓に対応させるかは表示装置３０の記憶部３２に予め登録するようになっている。
【００４２】
これら表示窓の発光素子Ｌは赤色発光ダイオードと緑色発光ダイオードとで構成される２色発光素子からなり、本実施形態では警戒モードが「入」のときに赤色発光点滅で窓開きを、混色による橙色発光点滅でクレセント錠１の施錠状態のロック解除を表示し、警戒モードが「切」のとき、つまり報知モードのときには赤色点灯、橙色点灯で夫々を表示するようなっている。尚本実施形態では４つの発光素子Ｌ…を設けた構成であるが、この数は単に一例を示すものに過ぎない。
【００４３】
次に本発明の防犯システムを図５に示すタイミングチャートを基に説明する。
【００４４】
まず、窓を閉じるように所定の位置に窓体２，２’を移動させ、図１に示すように窓体２側のクレセント錠１のクレセント３を窓体２’側の受け具４に係止して施錠すると共に、上述のロック手段のスライドレバー６を下方（図３（ａ）では左方向）にスライドさせて、クレセント錠１をロックした状態にあるとすると、窓体２’側のマグネット１１に近接した装置本体１００ａのリードスイッチからなる第１の検知部１２は窓が閉じられていることを示す検知信号をスイッチ出力として出力している。
【００４５】
一方ロック片１５のスイッチ駆動片１６の先端は第２の検知部１７の駆動釦１７ａから離れているため、第２の検知部１７はクレセント錠１の施錠状態がロックされていることを示す検知信号をスイッチ出力として出力している。また、このとき、上述のようにスイッチＳＷはメカニカルに連動しオン状態となっている。
【００４６】
これらの検知信号を取り込んでいる信号処理部２０は、窓が閉じられ且つクレセント錠１の施錠状態がロックされていると判断し、報知部７からの報知は行わない。
【００４７】
また窓が閉じられた時点が従前であるとすると、その時点で無線送信部２１からは窓が閉じられたことを示す検知信号に応じた検知データがまず送信され、その後クレセント錠１の施錠がロックされた時点でロック手段がロック位置にあることを示す検知信号に応じた検知データが送信されており、現時点で検知部１２，１７の何れかの検知信号の変化がないかぎり無線送信部２１からの検知データの送信は停止している状態にある。
【００４８】
一方表示装置３０側で図５（ｇ）のように警戒スイッチ（図示せず）が「入」に投入されて警戒モードに設定されているものとする。そしてまず窓が閉じられたときに送られきた検知データと、クレセント錠１の施錠を経て施錠状態のロックが為されたときに送られきた検知データとに基づいて表示部３６の対応するチャンネルの発光素子Ｌを信号処理部３１の制御の下で消灯させている。
【００４９】
さて次にスイッチＳＷを図５（ｅ）に示すようにオフ操作し、ロック手段のスライドレバー６が上方（図３（ａ）では右方）に動かされると、図３（ｂ）に示すようにロック片１５が移動し、クレセント錠１の施錠状態のロックを解除し、またスイッチ駆動片１６が第２の検知部１７の駆動釦１７ａを押し駆動して第２の検知部１７のスイッチ出力を図５（ａ）に示すように反転させる。これによりロック手段が解除位置になったことを示す検知信号が信号処理部２０に入力し、信号処理部２０はこの検知信号からロック解除と判断するが、第１の検知部１２の検知信号は窓が閉じられていることを示している（図５（ｂ）参照）。しかしスイッチＳＷがオフされているため報知部７での警報音の報知は図５（ｄ）に示すように行われない。一方無線送信部２１にロック解除を示す検知データを出力し、無線送信部２１から図５（ｃ）のＳ１で示すようにロック解除を示す検知データをワイヤレス信号により送信させる。
【００５０】
このワイヤレス信号は表示装置３０の無線受信部３３で受信され、ワイヤレス信号に含まれる検知データは復調部３４で復調され，更に波形整形部３５で整形された後信号処理部３１に取り込まれる。信号処理部３１はこの検知データからクレセント錠１の施錠状態のロックが解除された判断し、表示部３６の当該クレセント錠１に対応する発光素子Ｌを消灯状態から図５（ｆ）のｔ１時点で橙色に点滅発光させる。
【００５１】
この点滅発光により、室内において、何れの窓のクレセント錠１の施錠状態のロックが解除されたことを知ることができることになる。
【００５２】
次にクレセント錠１の施錠が解錠された後、窓体２，２’の何れかが動かされて窓が開くと、窓施錠装置１００側の第１の検知部１２のスイッチ出力が図５（ｂ）に示すように反転し、窓が開いていることを示す検知信号が信号処理部２０に入力する。信号処理部２０はこの検知信号から、更に窓が開かれたと判断するが、スイッチＳＷがオフされているため、報知部７での報知は行わない。そして窓が開いていることを示す検知データを無線送信部２１に出力し、無線送信部２１から図５（ｃ）のＳ２で示すように窓が開かれたことを示す検知データをワイヤレス信号により送信させる。
【００５３】
このワイヤレス信号は表示装置３０の無線受信部３３で受信され、ワイヤレス信号に含まれる検知データは復調部３４で復調され，更に波形整形部３５で整形された後信号処理部３１に取り込まれる。信号処理部３１はこの検知データから窓が開かれたと判断し、先のクレセント錠１の施錠状態のロック解除と合わさって、表示部３６の当該クレセント錠１に対応する発光素子Ｌを図５（ｆ）のｔ２時点で赤色に点滅発光させる。
【００５４】
この点滅発光により、何れの窓が開かれ、且つクレセント錠１の施錠状態のロックが解除されていることを知ることができる。
【００５５】
さて、上述の状態から窓が再び閉じられると、クレセント錠１の第１の検知部１２のスイッチ出力が図５（ｂ）に示すように反転し、窓が閉じられたことを示す検知信号が信号処理部２０に入力する。信号処理部２０はこの検知信号から、更に窓が閉じられたと判断する。このとき第２の検知部１７の検知信号はクレセント錠１の施錠状態のロックが解除されていることを示しているが、スイッチＳＷがオフされているため、報知部７での報知は行わない。そして窓が閉じられていることを示す検知データを無線送信部２１に出力し、無線送信部２１から図５（ｃ）のＳ３で示すように窓が閉じられたことを示す検知データをワイヤレス信号により送信させる。
【００５６】
このワイヤレス信号は表示装置３０の無線受信部３３で受信され、ワイヤレス信号に含まれる検知データは復調部３４で復調され，更に波形整形部３５で整形された後信号処理部３１に取り込まれる。信号処理部３１はこの検知データから窓が閉じられたと判断し、クレセント錠１の施錠状態のロック解除と合わさって、表示部３６の当該クレセント錠１に対応する発光素子Ｌを図５（ｆ）のｔ３時点で橙色に点滅発光させる。
【００５７】
更に窓が閉じられた後、再びクレセント錠１が施錠され、この施錠状態がロック手段でロックされると、ロック操作に連動してスイッチＳＷがオンする。そして第２の検知部１７のスイッチ出力が図５（ａ）に示すように反転し、ロック手段がロック位置にあることを示す検知信号が信号処理部２０に入力する。信号処理部２０はこの検知信号から、更にクレセント錠１の施錠状態がロックされたと判断する。そしてクレセント錠１の施錠状態がロックされていることを示す検知データを無線送信部２１に出力し、無線送信部２１から図５（ｃ）のＳ４で示すようたことを示す検知データをワイヤレス信号により送信させる。
【００５８】
このワイヤレス信号は表示装置３０の無線受信部３３で受信され、ワイヤレス信号に含まれる検知データは復調部３４で復調され，更に波形整形部３５で整形された後信号処理部３１に取り込まれる。信号処理部３１はこの検知データからクレセント錠１の施錠状態がロックされたと判断し、窓が閉まってることと合わさって、表示部３６の当該クレセント錠１に対応する発光素子Ｌを図５（ｆ）のｔ４時点で消灯させる。
【００５９】
上述の動作は警戒スイッチが「入」のときにおける警戒モード下での通常時の窓開け操作と窓閉め操作に基づいたものであるが、警戒スイッチが「切」側にあって報知モードのときには、上述の発光素子Ｌの点滅発光は夫々連続発光となる。
【００６０】
ところで、窓が開かれた状態でスライドレバー６をロック位置へ移動させると、つまり第１の検知部１２の検知信号が窓が開かれていることを示す状態で、第２の検知部１７の検知信号がロック解除からロック状態を示すように変化すると、信号処理部２０は空錠と判断し、報知部７から空錠を示す警告音を報知させる。つまり、スライドレバー６を操作した人に即時に空錠であることを報知する。
【００６１】
この警告音を聞いて空錠であることを知れば、スライドレバー６をロック解除位置へ移動させれば第２の検知部２の検知信号がロック解除位置を示す信号となるため、信号処理部２０は報知部７の報知を停止させる。あるいは、スイッチＳＷをオフとしてもロックは連動して解除され、同様に報知は停止される。
【００６２】
一方一定時間経過しても空錠状態が解消されなければ、警告音から更に音量の大きな警報音が報知されるように信号処理部２０は報知部７を駆動制御し、同時に異常を示すデータを無線送信部２１からワイヤレス信号で送信させる。
【００６３】
表示装置３０では警戒スイッチが上述のように「入」の場合、この異常を示すデータを受信すると、信号処理部３１では当該窓施錠装置１００を取り付けた窓に異常発生と判断し、報知部３７から異常発生を示す警告音を報知させるとともに対応する発光素子Ｌを橙色で点滅させる。
【００６４】
さて、窓が閉められて、クレセント錠１が施錠され、その施錠状態がロック手段でロックされ、且つスイッチＳＷがオンしている状態において、ロック手段のスライドバー６の操作で解除されると、第２の検知部１７の検知信号がロックが解錠されたことを示す信号となる。これに対応して信号処理部２０は、異常発生と判断し、報知部７から前記の警告音より大きな音量の威嚇音となる警報音を報知させ、同時に異常を示すデータを無線送信部２１からワイヤレス信号で送信させる。これにより表示装置３０ではこの異常を示すデータを受信すると、信号処理部３１が当該窓施錠装置１００を取り付けた窓に異常が発生したと判断し、報知部３７から異常発生を示す警告音を報知させる。
【００６５】
そして例えば不法に侵入しようとする者がガラス１０に孔をあけてスライドレバー６を操作した場合にあっては上記警報音が威嚇音となって侵入を諦めさせることになる。尚家人がロック解除した場合にはスイッチＳＷをオフ操作して報知部７の報知動作を停止させることができる。
【００６６】
同様に、窓が閉められて、クレセント錠１が施錠され、その施錠状態がロック手段でロックされている状態において、第１の検知部１２からの検知信号が窓が開けられるたことを示す検知信号に変化すると、つまり窓体２’や窓体２が破壊されて、窓体２’側のガラス１０に取着されているマグネット１１の磁気で窓施錠装置１００側のリードスイッチからなる第１の検知部１２が駆動されなくなると、信号処理部２０は上述と同様に報知部７から前記の警告音より大きな音量の威嚇音となる警報音を報知させ、同時に異常を示すデータを無線送信部２１からワイヤレス信号で送信させる。
【００６７】
表示装置３０ではこの異常を示すデータを受信すると、上述と同様に信号処理部３１が当該窓施錠装置１００を取り付けた窓に異常発生と判断し、報知部３７から異常発生を示す警告音を報知させる。
【００６８】
このようにして不法に侵入しようとする者がガラス１０に孔をあけてスライドレバー６を操作した場合や、窓破壊を行った場合、窓施錠装置１００側での警報音で威嚇して宅内へ侵入するのを躊躇わせ、不法侵入を未然に防ぐ。また表示装置３０側の警報音で、窓に異常が発生したことを家人に知らせ、迅速に警察への通報等を行うようにすることを可能とする。
【００６９】
これら異常時の場合には表示装置３０側では発光素子Ｌを赤色で点滅発光させる。表示装置３０で警戒スイッチが「切」側に投入されている場合には上述の報知部３７による警報音の報知は為されず、また発光素子Ｌは上述の点滅発光ではなく、連続発光となる。
【００７０】
尚スイッチＳＷをオフ操作せずに、スライドレバー６を誤操作してロック解除位置へ戻して警報音が報知された場合には、スイッチＳＷをオフ操作すれば、信号処理部２０の制御の下で報知部７の報知を停止させることができる。また誤動作で警報音が報知されたときにもスイッチＳＷをオフ操作すれば良く、この場合、スライドレバー６が連動してロック解除位置へ戻るため、第２の検知部１７の検知信号がロック解除位置を示す信号に変わり、窓開きで且つロック解除により信号処理部２０はそれに対応した検知データを無線送信部２１より送信する。
【００７１】
ところで、スライドレバー６のロック位置側への操作は、クレセント３が施錠状態であるとき以外には動かないようにしておくことで、クレセント錠１が解錠状態にもかかわらず、ロック手段がロック位置側に操作されて信号処理部２０から見たときには正常な状態であると判断される状況が生じないようにでき、より防犯性能を高めることができる。
【００７２】
また前記実施形態では、検知部１２，１７の何れかに検知状態の変化があると、その検知状態変化があった検知部の検知データを無線送信部２１から送信させるようになっているが、検知部１２，１７の何れかに検知状態があると、その時点の両検知部１２，１７の検知データを送信させるようにしても良い。つまり検知状態の変化が何れかの検知部１２，１７で起きるたびに両検知部１２，１７の検知データを送ることで、表示装置３０側で常に窓の戸締まり状況を確認することができるようにしても良い。
【００７３】
更に前記実施形態では窓施錠装置１００を窓体２側に設け、クレセント錠１のクレセント３に対応する受け具４を造営物側に設けているが、窓の形状によって受け具４を窓体２に、窓施錠装置１００を造営物側に設けても良い。
【００７４】
また前記実施形態の窓施錠装置１００はクレセント錠１を設けたものであるが、窓体が上下方向に開閉される窓や回転窓に用いられるカムラッチ錠にも適用できるのは言うまでもない。
【００７５】
【発明の効果】
請求項１の発明は、窓を開閉する窓体若しくは造営物側に設けられ、他の窓体若しくは造営物側に設けられた受け具に係脱自在に係止して当該窓体を閉じた状態で施錠する掛け具と、該掛け具を前記受け具に対して係脱自在に動かす施錠／解錠操作手段と、前記受け具に前記掛け具が係止した状態をロックするロック手段と、該ロック手段を前記ロックする位置とロック解除位置とに動かすロック操作手段とを備えるとともに前記ロック手段のロック位置／ロック解除位置を検知する第１の検知部を備えた窓施錠装置と、
前記第１の検知部からの検知信号に基づいて前記ロック手段のロック解除を報知する報知手段とを具備しているので、ロック手段がロック解除されたときにこれを報知するので、クレセント錠の解除前に侵入検知ができ、また施錠状態のロック忘れを防ぐことができ、そのため不法侵入を未然に防止する効果を向上させることができる。
【００７６】
請求項２の発明は、請求項１の発明において、窓の開閉状態を検知する第２の検知部を前記窓施錠装置に設け、前記報知手段で、第２の検知部の検知信号に基づいて窓の開閉状態を報知するので、窓の開閉状態をも検知して報知することで、更に防犯効果を高めることができる。
【００７７】
請求項３の発明は、請求項１又は２の発明において、前記報知手段が前記窓施錠装置とは別体で、前記窓施錠装置には前記検知信号を前記報知手段へワイヤレス信号で送信する送信手段を備えているので、窓施錠装置から離れた場所に設置される報知手段で報知することができ、室内などにおいてロック解錠や窓開きなどの状態を知ることができる。
【００７８】
請求項４の発明は、請求項３の発明において、前記送信手段が、前記第１、第２の検知部の検知信号の何れかが変化すると、両検知部の検知信号をワイヤレス信号で送信するので、窓の開閉状態と、窓施錠装置の施錠に対するロック状態とを示す検知データを何れかの状態変化があっても、両検知信号に基づく処理ができるため、確実な状態把握が可能となり、信頼性を高めることができる。
【００７９】
請求項５の発明は、請求項３又は４の発明のおいて、前記報知手段が、ワイヤレス信号を受信する受信手段と、該受信手段で受信したワイヤレス信号に含まれる前記第１、第２の検知部の検知信号から窓の開閉状態と前記ロック手段の状態を判別する信号処理手段と、該信号処理手段の判別結果により前記窓の開閉状態と前記ロック手段の状態を表示する表示手段を設けている表示装置により構成されているので、窓側から離れた室内で窓の開閉状態と、窓施錠装置の施錠に対するロック／解除状態を表示して、防犯管理を確実にすることができる。
【００８０】
請求項６の発明は、請求項１乃至５の何れかの発明において、前記第１の検知部の検知信号に基づいて前記ロック手段のロック解除状態を報知する前記報知手段を前記窓施錠装置に設けているので、窓施錠装置側で前記ロック手段のロック解除状態を知ることができ、そのため窓を閉めたときなどにおいて、その場でロック忘れを知ることができ、そのためロック忘れを確実に防ぐことができ、また侵入しようとすると、その箇所においても報知が行われ、侵入しようとする者への威嚇となり、防犯効果を更に向上させることができる。
【００８１】
請求項７の発明は、前記請求項６の発明において、前記報知手段の報知動作のオン／オフ操作用で、ロック操作手段のロック位置への操作に連動してオンするスイッチを前記窓施錠装置に設けているので、家人がロック解除を行って、窓施錠装置の報知手段で報知が為されても窓施錠装置の報知手段で停止させることができ、しかもロック操作手段をロック位置へ操作したときには報知手段をセットするため失報がなく、また誤動作時には報知を止めることができ。
【００８２】
請求項８の発明は、請求項２乃至７の何れかの発明において、前記第２の検知部の検知信号として窓が閉じられていることを示す検知信号が、前記第２の検知部の検知信号として前記ロック手段のロック位置を示す検知信号が夫々出力していた状態から、第２の検知部からの検知信号が、窓が開いていることを示す信号に変化したときに前記報知手段にて報知させるので、窓破壊などによる窓開け行為があるような異常時にこれを報知することができ、高い防犯性能を持つシステムを提供するができる。
【００８３】
請求項９の発明は、請求項１乃至８の何れかの発明において、前記報知手段から状態報知として警報音を出力させるので、状態報知が確実に行え、且つ不法侵入に対する威嚇となる。
【００８４】
請求項１０の発明は、請求項２乃至９の何れかの発明において、前記第２の検知部の検知信号として窓が開いていることを示す検知信号が、前記第２の検知部の検知信号として前記ロック手段のロック解除位置を示す検知信号が夫々出力していた状態から、前記第１の検知部からの検知信号が、前記ロック手段がロック位置であることを示す信号に変化したときに前記報知手段にて警告音を報知させるので、空錠状態を窓施錠装置側で警告して空錠を防ぐことができる。
【図面の簡単な説明】
【図１】本発明の一実施形態のシステム構成図である。
【図２】同上に用いる窓施錠装置側の回路構成図である。
【図３】（ａ）は同上に用いる窓施錠装置のクレセント錠の施錠状態がロック解除されている状態の正面断面図である。
（ｂ）は同上に用いる窓施錠装置のクレセント錠の施錠状態がロックされている状態の正面断面図である。
（ｃ）は同上に用いる窓施錠装置のクレセント錠の施錠状態がロック解除されている状態の側面断面図である。
【図４】同上の表示装置の回路構成図である。
【図５】同上の動作説明用タイミングチャートである。
【符号の説明】
１  クレセント錠
２，２’  窓体
２ａ  縦桟
３  クレセント
４  受け具
５  ハンドル
６  スライドレバー
８  音出し孔
９  操作釦
１０  ガラス
１１  マグネット
３０  表示装置
３２  アンテナ
３７  報知部
１００  窓施錠装置
１００ａ  装置本体
Ｌ    発光素子
ＳＷ  スイッチ
【図１】
2004232293.tif 000003
【図２】
2004232293.tif 000004
【図３】
2004232293.tif 000005
【図４】
2004232293.tif 000006
【図５】
2004232293.tif 000007